(57)【要約】  刀身本体（２）に替刃（３）を着脱可能に装着してなる刃物（１）。刀身本体（２）は、本体ブロック（４）とスライドブロック（５）とからなる。本体ブロック（４）は、替刃（３）の裏面を支承する本体支承部（４１）と、表面側から替刃（３）に係合する本体係合部（４２）とを有する。スライドブロック（５）は、替刃（３）の裏面を支承する後方支承部（５１）と、替刃（３）を後方へ引き込めるよう替刃（３）に係合するスライド係合部（５２）と、厚み方向（Ｘ）の裏側に突出した裏側突起部（５３）とを有する。装着状態（Ｓ）において、替刃（３）は厚み方向に反るように弾性変形しており、スライドブロック（５）は替刃（３）の弾性力によって厚み方向（Ｘ）の本体ブロック（４）側に押圧され、裏側突起部（５３）が本体ブロック（４）に設けた被係止部（４３）に係止される。
2011108337.tif 000002
【特許請求の範囲】
【請求項１】
刀身本体に替刃を着脱可能に装着してなる刃物であって、
上記替刃は、厚み方向に可撓性を有し、
上記刀身本体は、本体ブロックと該本体ブロックに対して上記刃物の長手方向に進退可能に保持されたスライドブロックとからなり、
上記本体ブロックは、上記替刃の裏面を支承する本体支承部と、表面側から上記替刃に係合する本体係合部とを有し、
上記スライドブロックは、上記本体支承部よりも後方において上記替刃の上記裏面を支承する後方支承部と、上記替刃を後方へ引き込めるよう該替刃に係合するスライド係合部と、上記厚み方向の裏側に突出した裏側突起部とを有し、
上記替刃を上記刀身本体に装着した装着状態において、上記替刃は、上記厚み方向に反るように弾性変形しており、上記スライドブロックは、上記替刃の弾性力によって上記厚み方向の裏側に押圧され、上記裏側突起部が、上記本体ブロックに設けた被係止部に係止されるよう構成してあることを特徴とする刃物。
【請求項２】
請求項１に記載の刃物において、上記装着状態にあるとき、上記後方支承部は、上記本体支承部よりも、上記厚み方向の表側に突出していることを特徴とする刃物。
【請求項３】
請求項１又は２に記載の刃物において、上記本体ブロックに対して上記長手方向にスライド可能に取り付けられると共に上記長手方向の双方に開口した筒状のストッパー兼用カバーを有し、該ストッパー兼用カバーは、上記替刃を覆う前方位置と、上記替刃を大きく露出させる後方位置と、上記前方位置と上記後方位置との中間の中間位置との３箇所においてロックできるよう構成されており、上記ストッパー兼用カバーは、上記後方位置にロックされたとき、上記スライドブロックの上記本体ブロックに対する進退を規制するよう構成してあることを特徴とする刃物。
【請求項４】
請求項３に記載の刃物において、上記ストッパー兼用カバーは、上記長手方向及び上記厚み方向に直交する高さ方向の一端に、上記本体ブロックと反対側に向って付勢された高さ方向板バネと、該高さ方向板バネにおける自由端に上記厚み方向の内側に向って形成された爪部とを有し、上記本体ブロックは、上記長手方向に形成されたスライド溝部と、長手方向の３箇所において該スライド溝部から上記高さ方向の外側へ向かって形成された前方係合溝、中間係合溝、及び後方係合溝とを有し、上記スライド溝部には、上記爪部がスライド可能に配置されると共に、上記前方係合溝、上記中間係合溝、又は上記後方係合溝に上記爪部を係合させることによって、それぞれ上記前方位置、上記中間位置、または上記後方位置において、上記ストッパー兼用カバーがロックされるよう構成してあることを特徴とする刃物。
【請求項５】
請求項１〜４のいずれか一項に記載の刃物において、上記スライドブロックには、後端側から先端側へ行くほど上記厚み方向外側に向って立ち上がると共に上記厚み方向に付勢された厚み方向板バネが固定されており、上記装着状態において、上記厚み方向板バネの先端部が上記本体ブロックに設けた被当接部に当接することによって、上記スライドブロックが上記本体ブロックに対して前進することを防ぐよう構成してあることを特徴とする刃物。
【請求項６】
請求項１又は２に記載の刃物において、上記スライドブロックには、上記厚み方向に弾性変形可能な板バネストッパーが固定されており、該板バネストッパーは、上記長手方向及び上記厚み方向に直交する高さ方向に突出するストッパー突出片を有し、上記装着状態において、上記ストッパー突出片が上記本体ブロックに設けたストッパー係合部に係合することによって、上記スライドブロックが上記本体ブロックに対して前進することを防ぐよう構成してあることを特徴とする刃物。
【請求項７】
請求項６に記載の刃物において、上記板バネストッパーは、上記高さ方向に変形可能に構成された裏側係合片を備え、該裏側係合片は、上記本体ブロックに設けた厚み方向係合部に裏面側から係合できるよう構成されていることを特徴とする刃物。
【請求項８】
請求項６又は７に記載の刃物において、上記本体ブロックに対して上記長手方向にスライド可能に取り付けられると共に上記長手方向の双方に開口した筒状のカバー本体と、上記長手方向に延びるとともに上記厚み方向に弾性変形可能な板バネ部と、該板バネ部の可動端に設けられたロック爪とを、一枚の金属板によって一体的に形成してなるバネ一体カバーを有し、上記本体ブロックは、上記長手方向の３箇所において上記厚み方向に窪んだ前方係合凹部、後方係合凹部、及び中間係合凹部を有し、上記前方係合凹部、上記後方係合凹部、又は上記中間係合凹部に上記ロック爪が係合することにより、それぞれ上記替刃を覆う前方位置、上記替刃を大きく露出させる後方位置、又は上記前方位置と上記後方位置との中間の中間位置において、上記バネ一体カバーをロックできるよう構成されていることを特徴とする刃物。
【請求項９】
請求項８に記載の刃物において、上記バネ一体カバーは、上記本体ブロックに対して上記中間位置においてロックされた状態において、上記板バネストッパーを上記厚み方向に弾性変形させて上記ストッパー突出片が上記ストッパー係合部から外れるよう押圧するストッパー解除片を備えていることを特徴とする刃物。
【請求項１０】
請求項１〜９のいずれか一項に記載の刃物において、上記替刃は、上記厚み方向に貫通した開口部を有し、上記本体係合部は、上記本体支承部から上記厚み方向の表側へ突出し、上記装着状態において上記開口部に挿嵌されると共に該開口部の先端に当接し、上記スライド係合部は、上記後方支承部から上記厚み方向の表側に突出し、上記装着状態において上記開口部に挿嵌されると共に該開口部の後端に当接するよう構成してあることを特徴とする刃物。
【請求項１１】
請求項１０に記載の刃物において、上記スライドブロック及び上記本体ブロックのいずれか一方は、上記長手方向及び上記厚み方向に直交する高さ方向の相手側に向って付勢された高さ方向弾性部材を有し、上記刃物の使用時において、上記高さ方向弾性部材の付勢力によって上記スライドブロックが上記本体ブロックに対して下方へ押圧され、上記スライド係合部が上記開口部の後端部を下方へ押圧することにより、上記替刃が、上記開口部において、上記スライド係合部の下面と、上記本体係合部の後端部の上面と、該本体係合部の前端部の下面との３点によって支持されるよう構成してあり、上記下方とは、上記高さ方向のうち上記替刃の刃が形成された側であり、上記上方とは、その反対側であることを特徴とする刃物。
【請求項１２】
請求項１０に記載の刃物において、上記本体ブロック及び上記スライドブロックのうち、上記高さ方向弾性部材を形成していない方は、上記スライドブロックを上記本体ブロックに対して前進させた刃替状態において、上記高さ方向弾性部材に上記高さ方向から圧接可能な前方圧接部を有し、上記高さ方向弾性部材が上記前方圧接部に対して圧接することにより、上記本体ブロックに対する上記スライドブロックの進退を規制するよう構成されていることを特徴とする刃物。
【請求項１３】
請求項１〜９のいずれか一項に記載の刃物において、上記スライドブロックは、上記替刃の後端に対して、上記長手方向に対向する後方対向面を有し、上記スライドブロックを上記本体ブロックに対して前進させたとき、上記後方対向面が上記替刃の後端に当接して上記替刃を前方へ押し出すよう構成してあることを特徴とする刃物。
【請求項１４】
請求項１３に記載の刃物において、上記スライドブロックは、上記裏側突起部よりも前方において、上記後方支承部及び上記スライド係合部を備えた中央片と、該中央片に対して上記長手方向及び上記厚み方向に直交する高さ方向の双方に配される一対の分岐片とに分岐しており、該一対の分岐片の前端に上記後方対向面が形成されていることを特徴とする刃物。
【発明の詳細な説明】
【技術分野】
【０００１】
本発明は、刀身本体に替刃を着脱可能に装着してなる刃物に関する。
【背景技術】
【０００２】
医療用メス、病理用のナイフ、あるいは顔剃りや毛髪のカット用の剃刀などに使用される刃物として、刀身本体に替刃を着脱可能に装着してなる刃物がある。
かかる刃物においては、刀身本体に設けた溝部に替刃を挿入することにより、替刃が刀身本体に装着される。そして、所定の使用回数や使用期間ごとに替刃を交換することができる。【０００３】
このような替刃式の刃物としては、替刃の交換を容易に行うことができるよう様々な工夫がなされている。例えば、特許文献１に記載の刃物は、刀身本体に対してスライド可能な係止部材を備え、刀身本体の先端部と係止部材とによって、替刃に設けた開口部を長手方向に引っ張るように係止することで、替刃を刀身本体に着脱できるよう構成してある。【０００４】
また、特許文献２に記載の刃物のように、替刃と保護カバーとからなる替刃カートリッジを、刀身本体に着脱可能としたものもある。
【先行技術文献】
【特許文献】
【０００５】
【特許文献１】特開２００７−６１４２９号公報
【特許文献２】米国特許第７２０７９９９号明細書
【発明の概要】
【発明が解決しようとする課題】
【０００６】
しかしながら、上記特許文献１に記載の刃物においては、替刃が外れないように、上記係止部材を長手方向の後端側に保持しておくために、コイルばねを用いている。すなわち、コイルばねの付勢力によって、係止部材を長手方向の後端側へ引っ張り、替刃を刀身本体に保持している。そのため、コイルばねを刀身本体に内蔵する必要があり、構成が複雑になると共に、部品点数の増加につながるという問題がある。【０００７】
また、上記特許文献２に記載の刃物は、上記のごとく、替刃と保護カバーとからなる替刃カートリッジを、交換可能に構成したものである。すなわち、替刃のみならず、替刃と保護カバーとからなる替刃カートリッジを使い捨てとすることとなる。そうすると、替刃式でありながら、長期使用した場合にかかるコスト（ランニングコスト）が高くなり、経済的とは言えない。【０００８】
本発明は、かかる問題点に鑑みてなされたもので、替刃のみの交換を可能としつつ、部品点数が少なく、かつ簡単な構成の刃物を提供しようとするものである。
【課題を解決するための手段】
【０００９】
本発明は、刀身本体に替刃を着脱可能に装着してなる刃物であって、
上記替刃は、厚み方向に可撓性を有し、
上記刀身本体は、本体ブロックと該本体ブロックに対して上記刃物の長手方向に進退可能に保持されたスライドブロックとからなり、
上記本体ブロックは、上記替刃の裏面を支承する本体支承部と、表面側から上記替刃に係合する本体係合部とを有し、
上記スライドブロックは、上記本体支承部よりも後方において上記替刃の上記裏面を支承する後方支承部と、上記替刃を後方へ引き込めるよう該替刃に係合するスライド係合部と、上記厚み方向の裏側に突出した裏側突起部とを有し、
上記替刃を上記刀身本体に装着した装着状態において、上記替刃は、上記厚み方向に反るように弾性変形しており、上記スライドブロックは、上記替刃の弾性力によって上記厚み方向の裏側に押圧され、上記裏側突起部が、上記本体ブロックに設けた被係止部に係止されるよう構成してあることを特徴とする刃物にある。
【発明の効果】
【００１０】
本発明にかかる刃物において、刀身本体に替刃を装着するに当たっては、上記スライドブロックを前進させて上記替刃を着脱可能な刃替状態として、替刃を上記本体係合部及び上記スライド係合部に仮係合する。そして、スライドブロックを後退させることによって、上記本体係合部と上記スライド係合部とが替刃を長手方向の両側へ引っ張るようにする。これにより、上記替刃を上記刀身本体に装着した上記装着状態とすることができる。
また、上記と反対に、上記装着状態から、上記スライドブロックを強制的に前進させて、上記刃替状態とすることによって、容易に替刃のみの交換が可能となる。【００１１】
そして、上記装着状態において、上記替刃は、上記厚み方向に反るように弾性変形している。そして、上記スライドブロックは、上記替刃の弾性力（復元力）によって上記厚み方向の上記本体ブロック側に押圧され、上記裏側突起部が、上記本体ブロックに設けた被係止部に係止されるよう構成してある。これによって、上記スライドブロックが前進することを規制し、上記装着状態が維持される。【００１２】
すなわち、本発明の刃物においては、上記替刃の弾性力によって、上記スライドブロックを上記本体ブロックに係止することができる。それゆえ、装着状態において、スライドブロックが前進することを規制するために、あえて新たな部材を設ける必要がない。つまり、スライドブロックの前進を規制するためだけの部材を要しない。
そのため、部品点数を低減することができると共に、その構成を簡単にすることができる。【００１３】
以上のごとく、本発明によれば、替刃のみの交換を可能としつつ、部品点数が少なく、かつ簡単な構成の刃物を提供することができる。
【図面の簡単な説明】
【００１４】
【図１】実施例１における、替刃と刀身本体との正面図。
【図２】実施例１における、刃物の正面図。
【図３】図２のＡ−Ａ線矢視断面図。
【図４】実施例１における、刃物の斜視図。
【図５】実施例１における、刃物の下面図。
【図６】実施例１における、刃物の裏面図。
【図７】実施例１における、替刃の正面図。
【図８】実施例１における、裏側突起部と裏面係止部との係合状態の断面拡大説明図。
【図９】図２のＢ−Ｂ線矢視断面図。
【図１０】実施例１における、刃物の先端部分の正面図。
【図１１】図１０のＣ−Ｃ線矢視断面図。
【図１２】実施例１における、本体ブロックの斜視図。
【図１３】実施例１における、本体ブロックの正面図。
【図１４】実施例１における、スライドブロックの斜視図。
【図１５】実施例１における、スライドブロックの他の斜視図。
【図１６】実施例１における、スライドブロックの正面図。
【図１７】実施例１における、スライドブロックの下面図。
【図１８】図１７のＤ−Ｄ線矢視断面図。
【図１９】実施例１における、刃替状態にある刃物の正面図。
【図２０】図１９のＥ−Ｅ線矢視断面図。
【図２１】実施例１における、刃替状態にある刃物の先端部分の正面図。
【図２２】図２１のＦ−Ｆ線矢視断面図。
【図２３】実施例２における、ストッパー兼用カバーを前方位置に配した刃物の斜視図。
【図２４】実施例２における、ストッパー兼用カバーを前方位置に配した刃物の正面図。
【図２５】実施例２における、ストッパー兼用カバーを後方位置に配した刃物の斜視図。
【図２６】実施例２における、ストッパー兼用カバーを後方位置に配した刃物の正面図。
【図２７】実施例２における、ストッパー兼用カバーを中間位置に配した刃物の斜視図。
【図２８】実施例２における、ストッパー兼用カバーを中間位置に配した刃物の正面図。
【図２９】実施例２における、ストッパー兼用カバーを外した刃物の正面図。
【図３０】実施例２における、ストッパー兼用カバーの斜視図。
【図３１】図３０のＧ−Ｇ線矢視断面図。
【図３２】実施例２における、ロック部材を外したストッパー兼用カバーの斜視図。
【図３３】実施例２における、ロック部材の斜視図。
【図３４】実施例３における、装着状態にある刃物の正面図。
【図３５】実施例３における、刃替状態にある刃物の正面図。
【図３６】実施例４における、刃物の斜視図。
【図３７】実施例４における、刃物の正面図。
【図３８】実施例４における、スライドブロックの斜視図。
【図３９】実施例４における、スライドブロックの下面図。
【図４０】実施例５における、ストッパー兼用カバーを後方位置に配した刃物の斜視図。
【図４１】実施例５における、ストッパー兼用カバーを後方位置に配した刃物の正面図。
【図４２】実施例５における、ストッパー兼用カバーを後方位置に配した刃物の裏面図。
【図４３】実施例５における、ストッパー兼用カバーを中間位置に配した刃物の斜視図。
【図４４】実施例５における、ストッパー兼用カバーを中間位置に配した刃物の正面図。
【図４５】実施例５における、ストッパー兼用カバーを前方位置に配した刃物の斜視図。
【図４６】実施例５における、ストッパー兼用カバーを前方位置に配した刃物の正面図。
【図４７】実施例５における、ストッパー兼用カバーを外した刃物の裏面図。
【図４８】実施例６における、刃物の斜視図。
【図４９】実施例６における、刃物の正面図。
【図５０】実施例６における、刃物の下面図。
【図５１】実施例６における、刃物の裏面図。
【図５２】実施例６における、板バネストッパーの機能の説明図。
【図５３】実施例６における、スライドブロックの斜視図。
【図５４】実施例６における、スライドブロックの正面図。
【図５５】実施例６における、スライドブロックの下面図。
【図５６】実施例６における、板バネストッパーの斜視図。
【図５７】実施例６における、板バネストッパーの他の斜視図。
【図５８】実施例６における、板バネストッパーの下面図。
【図５９】実施例６における、板バネストッパーの裏面図。
【図６０】実施例６における、本体ブロックの正面図。
【図６１】実施例６における、本体ブロックの裏面図。
【図６２】実施例６における、厚み方向係合部付近の本体ブロックの裏面図。
【図６３】実施例６における、厚み方向係合部への裏側係合片の係合状態の説明図。
【図６４】実施例６における、本体ブロックに固定された板バネストッパーの下面図であって、（Ａ）装着状態にあるときの図、（Ｂ）ストッパー解除時の状態の図。
【図６５】実施例７における、バネ一体カバーを後方位置に配した刃物の斜視図。
【図６６】実施例７における、バネ一体カバーを後方位置に配した刃物の他の斜視図。
【図６７】実施例７における、バネ一体カバーを後方位置に配した刃物の正面図。
【図６８】実施例７における、バネ一体カバーを後方位置に配した刃物の裏面図。
【図６９】実施例７における、バネ一体カバーを中間位置に配した刃物の正面図。
【図７０】実施例７における、バネ一体カバーを中間位置に配した刃物の裏面図。
【図７１】実施例７における、バネ一体カバーを前方位置に配した刃物の正視図。
【図７２】実施例７における、バネ一体カバーを前方位置に配した刃物の裏面図。
【図７３】実施例７における、バネ一体カバーの斜視図。
【図７４】実施例７における、バネ一体カバーの他の斜視図。
【図７５】実施例７における、バネ一体カバーの正面図。
【図７６】実施例７における、バネ一体カバーの下面図。
【図７７】実施例７における、バネ一体カバーの裏面図。
【図７８】実施例７における、ストッパー解除片の機能の説明図。
【発明を実施するための形態】
【００１５】
本発明に係る刃物は、例えば、医療用メス、病理用のナイフ、あるいは顔剃りや毛髪のカット用の剃刀などとすることができる。
【００１６】
また、上記装着状態にあるとき、上記後方支承部は、上記本体支承部よりも、上記後方係合部の突出方向に突出していることが好ましい。
この場合には、上記本体係合部に係合されると共に上記本体支承部と上記後方支承部とによって一方の主面から支承された上記替刃が、上記本体支承部及び上記後方支承部に向って凸となるように反りやすい。これにより、確実に、上記替刃の弾性力によって上記スライドブロックを本体ブロックに向って付勢して、上記裏面突起部を上記被係止部に係止することができる。
【００１７】
また、上記本体ブロックに対して上記長手方向にスライド可能に取り付けられると共に上記長手方向の双方に開口した筒状のストッパー兼用カバーを有し、該ストッパー兼用カバーは、上記替刃を覆う前方位置と、上記替刃を大きく露出させる後方位置と、上記前方位置と上記後方位置との中間の中間位置との３箇所においてロックできるよう構成されており、上記ストッパー兼用カバーは、上記後方位置にロックされたとき、上記スライドブロックの上記本体ブロックに対する進退を規制するよう構成してあることが好ましい。
【００１８】
この場合には、上記装着状態において、上記ストッパー兼用カバーを上記前方位置にロックすることによって、上記ストッパー兼用カバーが上記替刃を覆うため、使用者の安全を確保すると共に、上記替刃の破損を防ぐことができる。
また、上記刃物の使用時においては、上記ストッパー兼用カバーを上記後方位置に配置することによって、上記スライドブロックの進退を規制することができる。これにより、刃物の使用を円滑に行うことができる。
また、上記ストッパー兼用カバーを中間位置にロックして、上記スライドブロックを前進させることによって、容易に上記替刃の交換を行うことができる。
【００１９】
また、上記ストッパー兼用カバーは、上記長手方向及び上記厚み方向に直交する高さ方向の一端に、上記本体ブロックと反対側に向って付勢された高さ方向板バネと、該高さ方向板バネにおける自由端に上記厚み方向の内側に向って形成された爪部とを有し、上記本体ブロックは、上記長手方向に形成されたスライド溝部と、長手方向の３箇所において該スライド溝部から上記高さ方向の外側へ向かって形成された前方係合溝、中間係合溝、及び後方係合溝とを有し、上記スライド溝部には、上記爪部がスライド可能に配置されると共に、上記前方係合溝、上記中間係合溝、又は上記後方係合溝に上記爪部を係合させることによって、それぞれ上記前方位置、上記中間位置、または上記後方位置において、上記ストッパー兼用カバーがロックされるよう構成してあることが好ましい。
この場合には、上記ストッパー兼用カバーを、上記前方位置と上記中間位置と上記後方位置との間で、容易に移動させると共にロックすることができる。
【００２０】
また、上記スライドブロックには、後端側から先端側へ行くほど上記厚み方向外側に向って立ち上がると共に上記厚み方向に付勢された厚み方向板バネが固定されており、上記装着状態において、上記厚み方向板バネの先端部が上記本体ブロックに設けた被当接部に当接することによって、上記スライドブロックが上記本体ブロックに対して前進することを防ぐよう構成してあることが好ましい。
この場合には、上記装着状態における上記スライドブロックの移動をより確実に防ぐことができる。また、上記厚み方向板バネを寝かせるように押し込めば、上記被当接部との当接を容易に解いて、上記スライドブロックを前進させることができる。
【００２１】
また、上記スライドブロックには、上記厚み方向に弾性変形可能な板バネストッパーが固定されており、該板バネストッパーは、上記長手方向及び上記厚み方向に直交する高さ方向に突出するストッパー突出片を有し、上記装着状態において、上記ストッパー突出片が上記本体ブロックに設けたストッパー係合部に係合することによって、上記スライドブロックが上記本体ブロックに対して前進することを防ぐよう構成してあってもよい。
この場合にも、上記装着状態における上記スライドブロックの移動をより確実に防ぐことができる。また、上記板バネストッパーを上記厚み方向に弾性変形させることにより、上記ストッパー係合部に対する上記ストッパー突出片の係合状態を容易に解除することができる。これにより、上記本体ブロックに対する上記スライドブロックの前進を許容することができる。
【００２２】
また、上記板バネストッパーは、上記高さ方向に変形可能に構成された裏側係合片を備え、該裏側係合片は、上記本体ブロックに設けた厚み方向係合部に裏面側から係合できるよう構成されていることが好ましい。
この場合には、上記刀身本体から上記替刃を取り外した状態において、上記スライドブロックが上記本体ブロックから脱落することを防ぐことができる。例えば、替刃を外して刀身本体を保管したり洗浄したりする際に、スライドブロックが本体ブロックから外れることを防ぐことができる。これにより、刀身本体の取り扱いが容易となる。
【００２３】
また、上記本体ブロックに対して上記長手方向にスライド可能に取り付けられると共に上記長手方向の双方に開口した筒状のカバー本体と、上記長手方向に延びるとともに上記厚み方向に弾性変形可能な板バネ部と、該板バネ部の可動端に設けられたロック爪とを、一枚の金属板によって一体的に形成してなるバネ一体カバーを有し、上記本体ブロックは、上記長手方向の３箇所において上記厚み方向に窪んだ前方係合凹部、後方係合凹部、及び中間係合凹部を有し、上記前方係合凹部、上記後方係合凹部、又は上記中間係合凹部に上記ロック爪が係合することにより、それぞれ上記替刃を覆う前方位置、上記替刃を大きく露出させる後方位置、又は上記前方位置と上記後方位置との中間の中間位置において、上記バネ一体カバーをロックできるよう構成されていることが好ましい。
【００２４】
この場合には、上記装着状態において、上記バネ一体カバーを上記前方位置にロックすることによって、上記バネ一体カバーが上記替刃を覆うため、使用者の安全を確保すると共に、上記替刃の破損を防ぐことができる。また、上記バネ一体カバーが上記板バネ部と上記ロック爪とを備え、上記本体ブロックが上記前方係合凹部、後方係合凹部、及び中間係合凹部を備える。これにより、上記前方位置と上記中間位置と上記後方位置とのいずれかにおいて、容易かつ確実に刀身本体にバネ一体カバーを固定することができる。また、上記バネ一体カバーは、上記カバー本体と上記板バネ部と上記ロック爪とを、一枚の金属板によって一体的に形成してなる。それゆえ、部品点数を少なくすることができ、上記刃物のコスト低減を図ることができる。
【００２５】
また、上記バネ一体カバーは、上記本体ブロックに対して上記中間位置においてロックされた状態において、上記板バネストッパーを上記厚み方向に弾性変形させて上記ストッパー突出片が上記ストッパー係合部から外れるよう押圧するストッパー解除片を備えていることが好ましい。
この場合には、上記バネ一体カバーを上記中間位置にロックした際に、上記替刃を容易に交換することができる。
【００２６】
また、上記替刃は、上記厚み方向に貫通した開口部を有し、上記本体係合部は、上記本体支承部から上記厚み方向の表側へ突出し、上記装着状態において上記開口部に挿嵌されると共に該開口部の先端に当接し、上記スライド係合部は、上記後方支承部から上記厚み方向の表側に突出し、上記装着状態において上記開口部に挿嵌されると共に該開口部の後端に当接するよう構成してあることが好ましい。
この場合には、上記本体係合部と上記スライド係合部とによって、上記替刃を容易かつ確実に係合することができ、上記装着状態を容易に形成することができる。
また、この場合には、例えば以下のようにして上記刀身本体に替刃を装着することができる。まず、上記スライドブロックを前進させて上記刃替状態として、替刃の開口部に上記本体係合部及び上記スライド係合部を挿入する。そして、スライドブロックを後退させることによって、上記本体係合部を替刃の開口部の先端に当接させると共に、上記スライド係合部を開口部の後端に当接させる。これにより、上記替刃を上記刀身本体に装着した上記装着状態を容易に形成することができる。
【００２７】
また、上記スライドブロック及び上記本体ブロックのいずれか一方は、上記長手方向及び上記厚み方向に直交する高さ方向の相手側に向って付勢された高さ方向弾性部材を有し、上記刃物の使用時において、上記高さ方向弾性部材の付勢力によって上記スライドブロックが上記本体ブロックに対して下方へ押圧され、上記スライド係合部が上記開口部の後端部を下方へ押圧することにより、上記替刃が、上記開口部において、上記スライド係合部の下面と、上記本体係合部の後端部の上面と、該本体係合部の前端部の下面との３点によって支持されるよう構成してあり、上記下方とは、上記高さ方向のうち上記替刃の刃が形成された側であり、上記上方とは、その反対側であることが好ましい。
【００２８】
この場合には、上記装着状態において、上記替刃と上記刀身本体との間の高さ方向のガタツキを効果的に防止することができる。特に、上記替刃が、上記開口部において、上記スライド係合部の下面と、上記本体係合部の後端部の上面と、該本体係合部の前端部の下面との３点によって支持されることにより、上記替刃の先端がこれ以上、上方を向かない姿勢で保持されることとなる。この状態で、刃物を使用したときに刃先にかかる上方への反力に対向することができ、替刃のずれをより効果的に防ぐことができる。
【００２９】
また、上記本体ブロック及び上記スライドブロックのうち、上記高さ方向弾性部材を形成していない方は、上記スライドブロックを上記本体ブロックに対して前進させた刃替状態において、上記高さ方向弾性部材に上記高さ方向から圧接可能な前方圧接部を有し、上記高さ方向弾性部材が上記前方圧接部に対して圧接することにより、上記本体ブロックに対する上記スライドブロックの進退を規制するよう構成されていることが好ましい。
この場合には、上記刃替状態を容易に保持することができるため、上記替刃の交換を容易に行うことができる。
【００３０】
また、上記開口部は、先端側に形成されると共に上記長手方向及び上記厚み方向に直交する高さ方向の上下幅が比較的小さい先端側開口部と、該先端側開口部の後端側に連続形成されると共に該先端側開口部よりも上記上下幅が大きい後端側開口部とからなり、上記本体係合部は、上記高さ方向の上下幅が上記後端側開口部よりも小さく、上記先端側開口部よりも大きい頭部を有し、該頭部と上記本体支承部との間において、上記高さ方向の両側から切り込まれた切込溝部を設けてなり、該切込溝部に上記先端側開口部の外縁において上記替刃が係合するよう構成してあることが好ましい。
この場合には、上記刀身本体に上記替刃を容易に装着することができると共に、安定した装着状態を実現することができる。
また、この場合には、例えば以下のようにして上記刀身本体に替刃を装着することができる。まず、刀身本体を上記刃替状態として、替刃の後端側開口部に、上記本体係合部及び上記スライド係合部を挿入する。そして、スライドブロックを後退させることによって、上記本体係合部を替刃の先端側開口部に係合すると共に、上記スライド係合部を後端側開口部の後端に当接させる。これにより、上記装着状態を容易かつ確実に形成することができる。
【００３１】
また、上記本体支承部は、上記後端側開口部よりも上記高さ方向の上下幅が広いことが好ましい。
この場合には、上記替刃を容易かつ安定して上記刀身本体に装着することができる。
【００３２】
また、上記スライドブロックは、上記替刃の後端に対して、上記長手方向に対向する後方対向面を有し、上記スライドブロックを上記本体ブロックに対して前進させたとき、上記後方対向面が上記替刃の後端に当接して上記替刃を前方へ押し出すよう構成してあることが好ましい。
この場合には、上記スライドブロックを前進させることによって、上記替刃を前進させて上記本体係合部との係合を容易に解くことができる。これにより、一層、替刃の交換を容易にすることができる。
【００３３】
また、上記スライドブロックは、上記裏側突起部よりも前方において、上記後方支承部及び上記スライド係合部を備えた中央片と、該中央片に対して上記長手方向及び上記厚み方向に直交する高さ方向の双方に配される一対の分岐片とに分岐しており、該一対の分岐片の前端に上記後方対向面が形成されていることが好ましい。
この場合には、上記後方対向面を上記替刃の後端に安定して当接させやすくなる。すなわち、上記一対の分岐片は、上記中央片と異なる部分に形成されるため、分岐片の前端は端面として加工することが可能である。そのため、この分岐片の前端に上記後方対向面を形成することにより、該後方対向面を上記替刃の厚み方向に平行な面とすることができる。その結果、上記後方対向面を替刃の後端に対して安定して当接させることができ、上記スライドブロックを上記本体ブロックに対して前進させたとき、上記替刃を前方へ安定して押し出すことができる。
【００３４】
また、上記替刃の後端及び上記後方対向面は、上記厚み方向から見たとき、上記長手方向に対して斜めに形成されていることが好ましい。
この場合には、上記替刃の装着向きを間違えることを防止することができる。
【実施例】
【００３５】
（実施例１）
本発明の実施例にかかる刃物につき、図１〜図２２を用いて説明する。
本例の刃物１は、図１〜図６に示すごとく、刀身本体２に替刃３を着脱可能に装着してなる医療用メスである。
替刃３は、厚み方向Ｘに可撓性を有すると共に、図７に示すごとく、上記厚み方向Ｘに貫通した開口部３１を有する。開口部３１は、先端側に形成されると共に刃物１の長手方向Ｙ及び厚み方向Ｘに直交する高さ方向Ｚの上下幅ｗ１が比較的小さい先端側開口部３２と、該先端側開口部３２の後端側に連続形成されると共に該先端側開口部３２よりも上下幅ｗ２が大きい後端側開口部３３とからなる。【００３６】
図１に示すごとく、刀身本体２は、本体ブロック４と本体ブロック４に対して長手方向Ｙに進退可能に保持されたスライドブロック５とからなる。
図１２、図１３に示すごとく、本体ブロック４は、替刃３の一方の主面（裏面）を支承する本体支承部４１と、該本体支承部４１から厚み方向Ｘへ突出し、替刃３における先端側開口部３２に挿嵌されると共に開口部３１の先端に当接する本体係合部４２とを有する。【００３７】
また、図１４〜図１８に示すごとく、スライドブロック５は、替刃３の一方の主面（裏面）を支承する後方支承部５１と、該後方支承部５１から厚み方向Ｘに突出し、後端側開口部３３に挿嵌されると共に開口部３１の後端に当接するスライド係合部５２と、スライド係合部５２の突出方向と反対側に突出した裏側突起部５３とを有する。【００３８】
図９に示すごとく、本体係合部４２は、高さ方向Ｚの上下幅が後端側開口部３３よりも小さく、先端側開口部３２よりも大きい頭部４２１を有し、頭部４２１と本体支承部４１との間において、高さ方向Ｚの両側から切り込まれた切込溝部４２２を設けてなる。切込溝部４２２に先端側開口部３２の外縁において替刃３が係合する。
図１１に示すごとく、替刃３を刀身本体２に装着した装着状態Ｓにおいて、替刃３は、厚み方向Ｘに反るように弾性変形している。これにより、スライドブロック５は、替刃３の弾性力によって厚み方向Ｘの本体ブロック４側に押圧され、裏側突起部５３が、本体ブロック４に設けた被係止部４３に係止される。【００３９】
図１１に示すごとく、装着状態Ｓにあるとき、後方支承部５１は、本体支承部４１よりも、後方係合部５２の突出方向に突出している。
図１０、図１１に示すごとく、スライドブロック５は、替刃３の後端３４に対して、長手方向Ｙに対向する後方対向面５４を有する。そして、図２１、図２２に示すごとく、スライドブロック５を本体ブロック４に対して前進させたとき、後方対向面５４が替刃３の後端３４に当接して替刃３を前方へ押し出す。
替刃３の後端３４及び後方対向面５４は、厚み方向Ｘから見たとき、長手方向Ｙに対して斜めに形成されている。
また、本体支承部４１は、後端側開口部３３よりも高さ方向Ｚの上下幅が広い。【００４０】
図７に示すごとく、替刃３は、高さ方向Ｚの一方の辺に刃３５を形成してなる。本明細書では、高さ方向Ｚにおける刃３５が形成された辺側の方向を「下方」とし、その反対側を「上方」として説明する。また、厚み方向Ｘにおいて、刀身本体２に対して替刃３を載置する側を「表側」その反対側を「裏側」という。
替刃３の後端３４は、斜め上方を向くように傾斜している。
また、先端側開口部３２における先端側には、高さ方向Ｚの上下幅をより小さくした小幅部分３２１が形成されている。この小幅部分３２１に本体ブロック４の本体係合部４２の先端部が嵌入することにより、安定した係合状態を得ることができる。【００４１】
図１２、図１３に示すごとく、刀身本体２における本体ブロック４は、長手方向Ｙの先端部分に、本体支承部４１及び本体係合部４２を設け、後端部分に把持部４４を有する。本体ブロック４は、内側にスライドブロック５をスライド可能に収容する収容部４５を設けてなる（図２、図４参照）。収容部４５は、その大部分が、厚み方向Ｘに貫通している。そして、収容部４５の裏側には、被係止部４３が形成されていると共に、該被係止部４３よりも後方において、高さ方向Ｚの一方側から突出した裏面支承部４５１が形成されている。また、上記収容部４５における表側には、互いに対向配置された２対の表面支承部４５２が形成されている。
上記被係止部４３は、図８に示すごとく、断面略長方形状を有するが、表側の角部４３１、４３２には、曲面状の面取り部が形成されている。【００４２】
図１４〜図１８に示すごとく、スライドブロック５は、長手方向Ｙの先端部分に、後方支承部５１とスライド係合部５２とを設け、後端部分に、表側へ立ちあがると共に後方へ延びる操作部５５を有する。操作部５５の表面には、使用者（オペレータ）の指との間の滑り止めのための凹凸部が形成されている。図２、図３、図１９、図２０に示すごとく、操作部５５は、本体ブロック４における把持部４４の先端部分に設けた凹状載置面４４１においてスライド可能に載置される。【００４３】
また、スライドブロック５は、後方支承部５１の後端において、上記後方対向面５４を設けてなり、該後方対向面５４よりも後方において、裏面側へ突出した裏側突起部５３を設けてなる。図８に示すごとく、裏側突起部５３は、高さ方向Ｚに直交する断面の外形が、２つの傾斜部５３１、５３３とその間に形成される頂部５３２とによって構成される。【００４４】
また、スライドブロック５は、裏側突起部５３の後方であって操作部５５の前方における高さ方向Ｚの上下位置に、それぞれ表面当接部５６１、５６２を有する。表面当接部５６１、５６２は、それぞれ、本体ブロック４に設けた表面支承部４５２と、圧接されない状態で対向する。また、表面当接部５６１、５６２の前方にそれぞれ隣接する位置には、くびれ部５６３が形成されている。このくびれ部５６３を表面支承部４５２の位置に合わせた状態で、スライドブロック５を本体ブロック４に対して表面側から着脱することができる。【００４５】
図１４〜図１８に示すごとく、スライドブロック５には、後端側から先端側へ行くほど厚み方向Ｘの裏側に向って立ち上がると共に厚み方向Ｘに付勢された厚み方向板バネ５７が固定されている。そして、図３に示すごとく、装着状態Ｓにおいて、厚み方向板バネ５７の先端部が本体ブロック４に設けた被当接部（上記裏面支承部４５１）に当接することにより、スライドブロック５が本体ブロック４に対して前進することを防ぐ。【００４６】
厚み方向板バネ５７は、後端部において、該厚み方向板バネ５７をスライドブロック５に対して長手方向Ｙにずれないように固定する固定部５７１と、高さ方向Ｚの両端部においてスライドブロック５の表面側に係止する一対の係止爪５７２と、高さ方向Ｚの中央部において周囲よりも表側へ撓んだ中央バネ部５７３とを有する。この中央バネ部５７３がスライドブロック５の裏面に当接するとともに、係止爪５７２がスライドブロック５の表面に係止されることによって、厚み方向板バネ５７の本体部は、裏面側へ付勢された状態となっている。
装着状態Ｓを解除する際には、厚み方向板バネ５７を、中央バネ部５７３の付勢力に抗してスライドブロック５の裏面に沿わせることによって、厚み方向板バネ５７を裏面支承部４５１との当接状態を解くことができる。【００４７】
次に、本例の刃物１における替刃３の装着方法及び取外し方法につき、説明する。
まず、図１９、図２０に示すごとく、スライドブロック５を前進させて、刀身本体２を刃替状態Ｔとする。この状態において、本体ブロック４の本体係合部４２とスライドブロック５のスライド係合部５２とが接合する。この連結された本体係合部４２とスライド係合部５２とを、替刃３の後端側開口部３３に通すようにして、図２１、図２２に示すごとく、替刃３を刀身本体２の先端部に配置する。【００４８】
このとき、替刃３の一方の面（裏面）を、本体ブロック４の本体支承部４１とスライドブロック５の後方支承部５１とに接触させる。
また、替刃３の後端３４は、スライドブロック５の後方対向面５４に対向配置されると共に、両者の間には若干の隙間が形成される。【００４９】
次いで、スライドブロック５を本体ブロック４に対して後退させる。これにより、スライド係合部５２が、後端側開口部３３の後端において替刃３を後方へ引っ張る。そして、替刃３が後方へ向かって移動するにつれて、本体係合部４２が替刃３の先端側開口部３２に向って相対的に移動する。これにより、替刃３は、図９に示すごとく、先端側開口部３２の上下部分において、本体係合部４２に設けた切込溝部４２２に係合される。そして、スライドブロック５を本体ブロック４に対してさらに後方へ引き込むことにより、図１０、図１１に示すごとく、本体係合部４２の先端が替刃３の先端側開口部３２の小幅部分３２１に嵌入すると共にその先端に当接する。【００５０】
一方、スライドブロック５の裏側突起部５３は、本体ブロック４に対するスライドブロック５の後方への引き込み時において、図８に示すごとく、被係止部４３に表側から乗り上げると共に、後方の角部４３２に係止される。すなわち、上記スライドブロック５の引き込み時には、裏側突起部５３の傾斜部５３３が被係止部４３の前方の角部４３１に当接する。次いで、裏側突起部５３の頂部５３２が被係止部４３の表面４３３に乗り上げる。次いで、裏側突起部５３の前方側の傾斜部５３１が被係止部４３の後方の角部４３２に当接する。この状態で、図３、図１１に示すごとく、スライドブロック５が、本体ブロック４に対して厚み方向Ｘの表側へ押し出された状態で、長手方向Ｙに係止される。
これにより、刀身本体２に替刃３が装着された装着状態Ｓが実現する。【００５１】
この装着状態Ｓにおいては、図１１に示すごとく、替刃３が裏側に凸の状態となるように湾曲した状態で弾性変形している。すなわち、上述のごとく、装着状態Ｓにおいては、本体ブロック４に対してスライドブロック５が表側へ押し出されており、本体ブロック４における本体支承部４１よりもスライドブロック５における後方支承部５１が表側へ突出している。また、替刃３の前方部分は、本体係合部４２における切込溝部４２２に係合され、表側から頭部４２１によって押さえ付けられている。これにより、替刃３は、後端３４が表側へ向かうように反った状態に弾性変形して、刀身本体２に装着される。【００５２】
その結果、替刃３の弾性力（復元力）によって、スライドブロック５が裏側へ向かって付勢され、裏側突起部５３が被係止部４３に係止される。これにより、装着状態Ｓがロックされる。
また、このとき、上述した厚み方向板バネ５７が裏面支承部４５１に係止され、装着状態Ｓのロックが容易に外れないようにしている。【００５３】
また、替刃３を刀身本体２から外すに当たっては、上記装着状態Ｓから、スライドブロック５を本体ブロック４に対して前進させる。このとき、厚み方向板バネ５７を表側へ押し込んでスライドブロック５に沿わせることにより、厚み方向板バネ５７による裏面支承部４５１との係合（図３参照）を外す。【００５４】
そして、スライドブロック５を前進させるに伴い、スライドブロック５に設けた後方対向面５４が替刃３の後端３４を前方へ押すことにより、図２１、図２２に示すごとく、替刃３が前方へ移動する。これによって、本体ブロック４における本体係合部４２が替刃３の開口部３１内において、相対的に後方へ移動し、先端側開口部３２から後端側開口部３３へ移る。そして、スライドブロック５を、スライド係合部５２が本体係合部４２に当接するまで前進させると、本体係合部４２とスライド係合部５２との双方が、後端側開口部３３に配置される。この状態において、替刃３が表側へ外れることとなる。
なお、替刃３、本体ブロック４、及びスライドブロック５は、いずれもステンレス鋼等の金属製である。【００５５】
次に、本例の作用効果につき説明する。
上記刃物１においては、上述のごとく、本体ブロック４に対して、スライドブロック５を進退させて、上記刃替状態Ｔと上記装着状態Ｓとを形成することによって、容易に替刃３のみの交換が可能となる。【００５６】
そして、上記装着状態Ｓにおいて、替刃３は、厚み方向Ｘに反るように弾性変形している。そして、スライドブロック５は、替刃３の弾性力によって厚み方向Ｘの本体ブロック４側（裏側）に押圧され、裏側突起部５３が、本体ブロック４に設けた被係止部４３に係止されるよう構成してある。これによって、スライドブロック５が前進することを規制し、上記装着状態Ｓが維持される。【００５７】
すなわち、本例の刃物１においては、替刃３の弾性力（復元力）によって、スライドブロック５を本体ブロック４に係止することができる。それゆえ、装着状態Ｓにおいて、スライドブロック５が前進することを規制するために、あえて新たな部材を設ける必要がない。つまり、スライドブロック４の前進を規制するためだけの部材を要しない。そのため、部品点数を低減することができると共に、その構成を簡単にすることができる。【００５８】
なお、本例においては、スライドブロック５の前進を規制する部材として、上記厚み方向板バネ５７を設けているが、これは補助的に設けられたものであり、若干の遊びが形成され、替刃３を刀身本体２に安定して保持できるものではない。すなわち、裏側突起部５３と被係止部４３との係合状態と、替刃３の弾性力とによって、替刃３を後方へ引き込む付勢力が働くことによって、初めて替刃３の安定した固定状態を実現することができる。【００５９】
また、上記装着状態Ｓにあるとき、図１１に示すごとく、後方支承部５１は本体支承部４１よりも表側に突出している。そのため、本体係合部４２に係合されると共に本体支承部４１と後方支承部５１とによって一方の主面（裏面）から支承された替刃３が、本体支承部４１及び後方支承部５１に向って凸となるように反りやすい。これにより、確実に、替刃３の弾性力によってスライドブロック５を本体ブロック４に向って付勢して、裏面突起部５３を被係止部４３に係止することができる。【００６０】
また、スライドブロック５は後方対向面５４を有する。これにより、スライドブロック５を前進させることによって、替刃３を前進させて本体係合部４２との係合を容易に解くことができる。これにより、一層、替刃３の交換を容易にすることができる。【００６１】
また、替刃３の後端３４及び後方対向面５４は、厚み方向Ｘから見たとき、長手方向Ｙに対して斜めに形成されている。それゆえ、替刃３の装着向きを間違えることを防止することができる。
また、本体支承部４１は、後端側開口部３３よりも高さ方向Ｚの上下幅が広い。そのため、替刃３を容易かつ安定して刀身本体２に装着することができる。【００６２】
以上のごとく、本例によれば、替刃のみの交換を可能としつつ、部品点数が少なく、かつ簡単な構成の刃物を提供することができる。【００６３】
（実施例２）
本例は、図２３〜図３３に示すごとく、本体ブロック４に対して長手方向Ｙにスライド可能に取り付けられたストッパー兼用カバー６を備えた刃物１の例である。
ストッパー兼用カバー６は、図３０、図３１に示すごとく、長手方向Ｙの双方に開口した筒状を有する。なお、ストッパー兼用カバー６は、ステンレス鋼等の金属製である。【００６４】
そして、ストッパー兼用カバー６は、替刃３を覆う前方位置ＣＦ（図２３、図２４）と、替刃３を大きく露出させる後方位置ＣＲ（図２５、図２６）と、前方位置ＣＦと後方位置ＣＲとの中間の中間位置ＣＣ（図２７、図２８）との３箇所においてロックできるよう構成されている。
ストッパー兼用カバー６は、後方位置ＣＲにロックされたとき、スライドブロック５の本体ブロック４に対する進退を規制する。【００６５】
ストッパー兼用カバー６は、図３０、図３１に示すごとく、高さ方向Ｚの上端に、本体ブロック４と反対側に向って付勢された高さ方向板バネ６１１と、高さ方向板バネ６１１における自由端に厚み方向Ｘの内側に向って形成された爪部６１２とを有する背面ロック部６１を設けてなる。本例においては、図３２に示すごとく、ストッパー兼用カバー６の本体の上面に、前方から後方へ向かうに従って上昇するように高さ方向板バネ６１１が形成されている。この高さ方向板バネ６１１を上方及び厚み方向Ｘから覆うように、図３３に示すロック部材６１０をストッパー兼用カバー６の本体に取り付けてある（図３０、図３１）。ロック部材６１０は、背面板６１３と、該背面板６１３の前端部において、厚み方向Ｘの両側から下方へ延びる一対の脚部６１４と、該脚部６１４から内側に突出した円柱状の係合凸部６１５とを有する。また、背面板６１３の後部において、その厚み方向Ｘの一端から下方へ延びると共に厚み方向Ｘの内側に屈曲するように、上記爪部６１２が形成されている。【００６６】
そして、図３１、図３２に示すごとく、ストッパー兼用カバー６の本体には、上記ロック部材６１０における係合凸部６１５を係合するための円形孔６１６が一対形成されている。該一対の円形孔６１６に係合凸部６１５を回動可能に嵌入することによって、上記ロック部材６１０をストッパー兼用カバー６の本体に回動可能に係合している。これによって、図３０、図３１に示すごとく、背面ロック部６１が構成される。【００６７】
図２９に示すごとく、本体ブロック４は、その表面に長手方向Ｙに形成されたスライド溝部４６０と、長手方向Ｙの３箇所において該スライド溝部４６０から高さ方向Ｚの外側（上方）へ向かって形成された前方係合溝４６１、中間係合溝４６２、及び後方係合溝４６３とを有する。スライド溝部４６０には、ストッパー兼用カバー６の爪部６１２がスライド可能に配置される。そして、前方係合溝４６１、中間係合溝４６２、又は後方係合溝４６３に爪部６１２を係合させることによって、それぞれ前方位置ＣＦ、中間位置ＣＣ、または後方位置ＣＲにおいて、ストッパー兼用カバー６がロックされる。【００６８】
図３０に示すごとく、ストッパー兼用カバー６における厚み方向Ｘの両側の面には、ストッパー兼用カバー６の内側に貫通する複数の窓部６２が形成されている。図２３、図２４に示すごとく、ストッパー兼用カバー６を前方位置ＣＦに配置して、替刃３を覆う状態としたときにも、上記窓部６２の存在によって、窓部６２から替刃３を視認することができる。また、刃物１を消毒する場合にも、窓部６２を消毒液が通過することができるため、替刃３や刀身本体２の先端部分の消毒を効果的に行うことができる。【００６９】
本例において、刃物１を使用する際には、図２５、図２６に示すごとく、ストッパー兼用カバー６を後方位置ＣＲにおいてロックする。この状態において、ストッパー兼用カバー６の後端６３がスライドブロック５における操作部５５の前端５５１に当接する。このように、スライドブロック５の前進を、ストッパー兼用カバー６によっても規制することができる。【００７０】
また、刃物１を使用しない場合、例えば、刃物１を手渡ししたり、消毒したり、保管したりする場合においては、図２３、図２４に示すごとく、ストッパー兼用カバー６を前方位置ＣＦにおいてロックする。この状態において、ストッパー兼用カバー６は、刀身本体２に装着した替刃３の周囲に配置される。
また、替刃３の交換をする際には、図２７、図２８に示すごとく、ストッパー兼用カバー６を中間位置ＣＣにおいてロックする。これにより、操作部５５の前進が許容されるため、操作部５５を前進させて、替刃３を取り外し、他の替刃３を装着することができる。【００７１】
なお、中間位置ＣＣにストッパー兼用カバー６を配置したとき、ストッパー兼用カバー６によって、厚み方向板バネ５７（図３、図１５参照）がスライドブロック５に沿って寝るように構成してある。これにより、厚み方向板バネ５７が裏面支承部４５１から外れ、装着状態Ｓのロックの解除が可能となる。【００７２】
また、前方位置ＣＦ、中間位置ＣＣ、後方位置ＣＲにおけるストッパー兼用カバー６のロック状態を解除する際には、背面ロック部６１を下方へ押し込む。これにより、爪部６１２を、前方係合溝４６１、中間係合溝４６２、又は後方係合溝４６３から外して、スライド溝部４６０に配置する。そして、長手方向Ｙにストッパー兼用カバー６をスライドさせることによって、前方位置ＣＦ、中間位置ＣＣ、後方位置ＣＲの間で、ストッパー兼用カバー６を移動させる。
その他は、実施例１と同様である。【００７３】
本例の場合には、ストッパー兼用カバー６を前方位置ＣＦにロックすることによって、ストッパー兼用カバー６が替刃３を覆うため、使用者の安全を確保すると共に、替刃３の破損を防ぐことができる。
また、刃物１の使用時においては、ストッパー兼用カバー６を後方位置ＣＲに配置することによって、スライドブロック５の進退を規制することができる。これにより、刃物１の使用を円滑に行うことができる。
また、ストッパー兼用カバー６を中間位置ＣＣにロックして、スライドブロック５を前進させることによって、容易に替刃３の交換を行うことができる。【００７４】
また、ストッパー兼用カバー６は、高さ方向板バネ６１１と、爪部６１２とを有し、本体ブロック４は、スライド溝部４６０、前方係合溝６４１、中間係合溝４６２、及び後方係合溝４６３を有する。これにより、ストッパー兼用カバー６を、前方位置ＣＦと中間位置ＣＣと後方位置ＣＲとの間で、容易に移動させると共にロックすることができる。
その他、実施例１と同様の作用効果を有する。【００７５】
（実施例３）
本例は、図３４、図３５に示すごとく、スライドブロック５に、高さ方向Ｚの上方に向って付勢された高さ方向弾性部材５８を設けた例である。
高さ方向弾性部材５８は、スライドブロック５に、上面から下方へ切り込まれると共に斜め後方へ向かって延びる切込部５８０を設けることによって形成されている。そして、刃物１の使用時、すなわち装着状態Ｓにおいて、図３４に示すごとく、高さ方向弾性部材５８は、上方へ向かって付勢された状態で、本体ブロック４に設けた後方係止凸部４７１に係止される。【００７６】
そして、高さ方向弾性部材５８の付勢力によってスライドブロック５が本体ブロック４に対して下方へ押圧され、スライドブロック５の先端部分に設けたスライド係合部５２が後端側開口部３３の後端部を下方へ押圧する。これにより、替刃３が、開口部３１において、スライド係合部５２の下面（Ｐ１）と、本体係合部４２の後端部の上面（Ｐ２）と、本体係合部４２の前端部の下面（Ｐ３）との３点によって支持される。【００７７】
また、図３５に示すごとく、本体ブロック４は、スライドブロック５を本体ブロック４に対して前進させた刃替状態Ｔにおいて、高さ方向弾性部材５８に高さ方向Ｚから圧接可能な前方圧接部４７２を有する。前方圧接部４７２は、高さ方向弾性部材５８が前方圧接部４７２に対して圧接することにより、本体ブロック４に対するスライドブロック５の進退を規制するよう構成されている。つまり、刃替状態Ｔにおいては、高さ方向弾性部材５８と前方圧接部４７２との間の摩擦力によって、スライドブロック５が本体ブロック４に対して静止した状態を保つことができる。
なお、本例においては、実施例１において示した厚み方向板バネ５７を設けていない。
その他は、実施例１と同様である。【００７８】
本例の場合には、図３４に示すごとく、上記装着状態Ｓにおいて、替刃３と刀身本体２との間の高さ方向Ｚのガタツキを効果的に防止することができる。特に、替刃３が、開口部３１において、スライド係合部５２の下面（Ｐ１）と、本体係合部４２の後端部の上面（Ｐ２）と、本体係合部４２の前端部の下面（Ｐ３）との３点によって支持されることにより、替刃３の先端がこれ以上、上方を向かない姿勢で保持されることとなる。この状態で、刃物３を使用したときに刃先にかかる上方への反力に対向することができ、替刃３のずれをより効果的に防ぐことができる。【００７９】
また、本体ブロック４は前方圧接部４７２を有し、高さ方向弾性部材５８が前方圧接部４７２に対して圧接することにより、本体ブロック４に対するスライドブロック５の進退を規制するよう構成されている。これにより、刃替状態Ｔを容易に保持することができるため、替刃３の交換を容易に行うことができる。
その他、実施例１と同様の作用効果を有する。
なお、図３４、図３５に付した符号は、特に断らない限り、実施例１に示したものと対応している。後述する図３６以降も同様である。【００８０】
（実施例４）
本例は、図３６〜図３９に示すごとく、刀身本体２の形状を、実施例１とは異ならせた刃物１の例である。
本例の刃物１においては、図３８、図３９に示すごとく、スライドブロック５が、後端部分に設けた操作部５５の裏面５５２を、操作部５５よりも前方部分の裏面５０２と同一面上に配した形状を有する。【００８１】
すなわち、実施例１の刃物１における操作部５５は、図１７に示すごとく、表側へ立ちあがると共に後方へ延びる形状を有し、その裏面は、操作部５５よりも前方部分の裏面よりも表側に存在するが、本例の刃物１における操作部５５の裏面５５２は、表側にずれることなく、前方部分の裏面５０２と連続した同一面を構成している。【００８２】
これに伴い、本体ブロック４には、実施例１において示したような、凹状載置面４４１（図１２、図１３）は不要であり、操作部５５の裏面５５２は、他の部分の裏面５０２が載置され、スライドする載置面と同一面を構成する面の上に載置され、スライドする（図示略）。
その他は、実施例１と同様である。
本例の場合にも、実施例１と同様の作用効果を奏する。【００８３】
（実施例５）
本例は、図４０〜図４７に示すごとく、実施例４に係る刃物１（図３６、図３７）における本体ブロック４に対して、ストッパー兼用カバー６を長手方向Ｙにスライド可能に取り付けた例である。
ストッパー兼用カバー６の機能及び構成は、実施例２の刃物１におけるストッパー兼用カバー６（図２３〜図２８）と略同様である。【００８４】
本例においても、図４０〜図４６に示すごとく、ストッパー兼用カバー６は、背面ロック部６１を設けてなるが、実施例２に示したものと若干構成が異なる。すなわち、本例においては、図４２に示すごとく、ストッパー兼用カバー６の上面に形成された高さ方向板バネ６１１の上面に、ロック部材６１０が固定されている。ロック部材６１０は、高さ方向板バネ６１１の上面に沿って配置された背面板６１３の後部において、厚み方向Ｘの一端（裏面側）から下方へ延びると共に厚み方向Ｘの内側に屈曲するように、爪部６１２が形成されている。
このように、高さ方向板バネ６１１とこれに固定されたロック部材６１０とによって、背面ロック部６１が構成されている。【００８５】
また、本例においては、図４７に示すごとく、本体ブロック４の裏面に、スライド溝部４６０と、前方係合溝４６１、中間係合溝４６２、及び後方係合溝４６３とを設けてある。これらの前方係合溝４６１、中間係合溝４６２、及び後方係合溝４６３のいずれかに、裏側から背面ロック部６１の爪部６１２が係合することにより、ストッパー兼用カバー６が、それぞれ前方位置ＣＦ（図４５、図４６）、中間位置ＣＣ（図４３、図４４）、後方位置ＣＲ（図４０〜図４２）のいずれかにロックされる。
その他は、実施例２と同様である。
本例の場合にも、実施例２と同様の作用効果を奏する。【００８６】
（実施例６）
本例は、図４８〜図６４に示すごとく、刀身本体２の形状を、実施例１、３と異ならせた刃物１の例である。
本例の刃物１においては、図４８、図４９、図５２に示すごとく、スライドブロック５に、厚み方向Ｘに弾性変形可能な板バネストッパー５９が固定されている。板バネストッパー５９は、高さ方向Ｚに突出するストッパー突出片５９１を有する。そして、図５２に示すごとく、装着状態Ｓにおいて、ストッパー突出片５９１が本体ブロック４に設けたストッパー係合部４５３に係合することによって、スライドブロック５が本体ブロック４に対して前進することを防ぐよう構成してある。【００８７】
板バネストッパー５９は、図５３〜図５５に示すごとく、スライドブロック５における裏側突起部５３と操作部５５との間の部分に固定されている。そして、板バネストッパー５９は、図５６〜図５９に示すごとく、スライドブロック５の表面に沿って配される表側プレート５９２と、裏面に沿って配される裏側プレート５９４と、下面に沿って配される下側プレート５９３とを有し、これらは一枚の金属板を曲げ加工して形成してある。下側プレート５９３と裏側プレート５９４とは前端部において連結しており、その連結部５９５よりも後方においては両者の間にスリットが形成されている。【００８８】
表側プレート５９２の後端部における上辺からは、スライドブロック５の上面に沿って配される上側係止片５９６が、厚み方向Ｘの裏側へ向かって突出している。また、表側プレート５９２の上辺から厚み方向Ｘの裏側へ向かって屈曲するとともに、高さ方向Ｚの上方へ向かって、ストッパー突出片５９１が突出している。また、このストッパー突出片５９１と対をなすように、下側プレート５９３から高さ方向Ｚの下方へ向かって、他のストッパー突出片５９１が突出している。【００８９】
また、図５５〜図５８に示すごとく、下側プレート５９３は、その後端部付近の一部をスライドブロック５の裏面よりも裏側へ突出させた裏面突出部５９７を設けてなる。また、下側プレート５９３は、裏面突出部５９７と連結部５９５との間に、高さ方向Ｚに変形可能に構成された裏側係合片５９８を備えている。裏側係合片５９８は、図６３に示すごとく、本体ブロック４に設けた厚み方向係合部４５４に裏面側から係合できるよう構成されている。つまり、裏側係合片５９８は、スライドブロック５の厚み方向係合部４５４よりも裏側へ突出しているとともに、高さ方向Ｚの下側（図６３においては図面上側）へ塑性変形できるよう構成されている。【００９０】
本体ブロック４は、図６０に示すごとく、収容部４５の高さ方向Ｚの両側に、部分的に厚み方向Ｘの裏側へ凹んだストッパー係合部４５３を備えている。また、下側のストッパー係合部４５３と連続する位置において、本体ブロック４を表裏に貫通するとともに長手方向Ｙに長尺なストッパー用スリット４５５が形成されている。さらに、図６１、図６２に示すごとく、本体ブロック４の裏面には、ストッパー用スリット４５５と連続する位置に、長手方向Ｙに長尺であるとともに溝状に形成された厚み方向係合部４５４が形成されている。【００９１】
図４９、図５２に示すごとく、板バネストッパー５９が固定されたスライドブロック５を、本体ブロック４の収容部４５に装着した状態において、板バネストッパー５９における一対のストッパー突出片５９１が本体ブロック４における一対のストッパー係合部４５３に係合する。これにより、本体ブロック４に対するスライドブロック５の前進を防ぐことができる。【００９２】
また、この状態において、板バネストッパー５９における裏面突出部５９７及び裏側係合片５９８がストッパー用スリット４５５に配置される。この状態においては、板バネストッパー５９は弾性変形していない。また、ストッパー用スリット４５５に配置された裏側係合片５９８を、高さ方向Ｚの下方に塑性変形させることにより、本体ブロック４の厚み方向係合部４５４に係合させることができる。【００９３】
そして、図６４に示すごとく、板バネストッパー５９は、裏側から上記裏面突出部５９７を表側へ向かって押し上げられることにより、連結部５９５付近において弾性変形する。これにより、裏側プレート５９４に対して他の部分が表側へ向かって移動する。裏側プレート５９４はスライドブロック５の裏面に支承されているため、板バネストッパー５９における他の部分はスライドブロック５から表側へ浮くように移動する。そのため、一対のストッパー突出片５９１は表側へ移動し、一対の上記ストッパー係合部４５３から外れる。これにより、スライドブロック４が本体ブロック５に対して前進することが許容される。【００９４】
図５３〜図５５に示すごとく、スライドブロック５は、裏側突起部５３よりも前方において、中央片５０３と、該中央片５０３に対して高さ方向Ｚの双方に配される一対の分岐片５０４とに分岐している。
中央片５０３は、後方支承部５１及びスライド係合部５２を備えている。つまり、分岐部分から厚み方向Ｘの裏面側へ後退した位置において前方へ延びるように後方支承部５１が形成され、該後方支承部５１の前端部に厚み方向Ｘの表面側へ突出するようにスライド係合部５２が形成されている。
一対の分岐片５０４は、中央片５０３に対して高さ方向Ｚの双方に配され、前方へ延びている。そして、この一対の分岐片５０４の前端に、替刃３の後端３４に対して対向する後方対向面５４が形成されている。【００９５】
一対の分岐片５０４のうち、高さ方向Ｚの上側の分岐片５０４は、下側の分岐片５０４よりも長い。そして、これらにそれぞれ設けた後方対向面５４は、略同一平面上に形成されている。また、後方対向面５４は、長手方向Ｙ及び高さ方向Ｚに対して斜めであって、厚み方向Ｘに平行に形成されている。つまり、一対の後方対向面５４は、替刃３における斜めの後端３４に対して略平行となるように形成されている。【００９６】
また、分岐片５０４の後方対向面５４は、スライドブロック５の端面として形成されている。つまり、スライドブロック５を打ち抜き又は切削加工する際に、その加工端面として、後方対向面５４が形成される。
スライドブロック５を本体ブロック４に対して前進させたとき、一対の後方対向面５４が替刃３の後端３４を押すことにより、替刃３を前方へ押し出すよう構成されている。【００９７】
また、本例の刃物１におけるスライドブロック５は、板バネストッパー５９を固定した部分と操作部５５との間において、高さ方向Ｚの双方へそれぞれ突出した一対の後方翼部５６４を備えている。また、スライドブロック５は、板バネストッパー５９を固定した部分と裏側突起部５３との間において、高さ方向Ｚの上方へ突出した前方翼部５６５を備えている。【００９８】
図６０に示すごとく、本体ブロック４には、スライドブロック５における上記一対の後方翼部５６４を表側からスライド可能に係止する一対の後方表面係止部４５６が形成されている。また、本体ブロック４には、スライドブロック５における上記前方翼部５６５を表側からスライド可能に係止する前方表面係止部４５７が形成されている。そして、後方表面係止部４５６の後方に隣接して高さ方向Ｚに後退した後方後退凹部４５８が形成され、前方表面係止部４５６の後方に隣接して高さ方向Ｚに後退した前方後退凹部４５９が形成されている。本体ブロック４にスライドブロック５を着脱する際には、一対の後方後退凹部４５８にそれぞれ一対の後方翼部５６４を配置し、前方後退凹部４５９に前方翼部５６５を配置する。【００９９】
また、本例の刃物１における本体ブロック４の収容部４５は、基本構成として略凹状に形成され、裏側に底面部を備える。その底面部の一部が、上記ストッパー用スリット４５５を含めた複数のスリットによって、表裏に貫通している。
スライドブロック５は、一対の後方翼部５６４及び前方翼部５６５において、収容部４５の底面部と後方表面係止部４５６及び前方表面係止部４５７とによって表裏から保持されている。
その他は、実施例１と同様である。【０１００】
本例の場合には、上記板バネストッパー５９によって、装着状態Ｓにおけるスライドブロック５の移動をより確実に防ぐことができる。また、図６４に示すごとく、板バネストッパー５９を厚み方向Ｘに弾性変形させることにより、ストッパー係合部４５３に対するストッパー突出片５９１の係合状態を容易に解除することができる。これにより、本体ブロック４に対するスライドブロック５の前進を許容することができる。【０１０１】
また、板バネストッパー５９は裏側係合片５９８を備え、図６３に示すごとく、裏側係合片５９８を任意に折り曲げ変形させることにより本体ブロック４に設けた厚み方向係合部４５４に裏面側から係合できるよう構成されている。これにより、刀身本体２から替刃３を取り外した状態において、スライドブロック５が本体ブロック４から脱落することを防ぐことができる。例えば、替刃３を外して刀身本体２を保管したり洗浄したりする際に、スライドブロック５が本体ブロック４から外れることを防ぐことができる。これにより、刀身本体２の取り扱いが容易となる。【０１０２】
また、図５３〜図５５に示すごとく、スライドブロック５は、裏側突起部５３よりも前方において、中央片５０３と該一対の分岐片５０４とに分岐しており、該一対の分岐片５０４の前端に後方対向面５４が形成されている。これにより、後方対向面５４を替刃３の後端３４に安定して当接させやすくなる。すなわち、一対の分岐片５０４は、中央片５０３と異なる部分に形成されるため、分岐片５０４の前端は端面として加工することが可能である。そのため、この分岐片５０４の前端に後方対向面５４を形成することにより、後方対向面５４を替刃３の厚み方向Ｘに平行な面とすることができる。その結果、後方対向面５４を替刃３の後端３４に対して安定して当接させることができ、スライドブロック５を本体ブロック４に対して前進させたとき、替刃３を前方へ安定して押し出すことができる。【０１０３】
つまり、分岐片５０４を形成しない場合、例えば、実施例１（図３）のように、曲げ加工によって、５１の表面側に後方対向面５４を立設させることとなる。この場合、後方対向面５４を正確に厚み方向Ｘに平行にすることが困難となり、替刃３の後端３４に対する後方対向面５４の当接状態を安定させ難くなるおそれがある。これに対して、上記分岐片５０４を設けてその前端に後方対向面５４を形成することにより、上述のごとく、替刃３の後端３４に対する後方対向面５４の当接状態を安定させやすくなる。
その他、実施例１と同様の作用効果を有する。【０１０４】
（実施例７）
本例は、図６５〜図７８に示すごとく、実施例６に係る刃物１（図４８〜図５１）における本体ブロック４に対して、バネ一体カバー６０を長手方向Ｙにスライド可能に取り付けた例である。
バネ一体カバー６０は、長手方向Ｙの双方に開口した筒状のカバー本体６５と、長手方向Ｙに延びるとともに厚み方向Ｘに弾性変形可能な板バネ部６６１と、板バネ部６６１の可動端に設けられたロック爪６６２とを有する。これらは、一枚の金属板によって一体的に形成されている。【０１０５】
本体ブロック４は、図６１に示すごとく、長手方向Ｙの３箇所において厚み方向Ｘに窪んだ前方係合凹部４６４、後方係合凹部４６６、及び中間係合凹部４６５を有する。そして、前方係合凹部４６４、後方係合凹部４６６、又は中間係合凹部４６５にロック爪６６２が係合することができる。これにより、それぞれ、替刃３を覆う前方位置ＣＦ（図７１、図７２）、替刃３を大きく露出させる後方位置ＣＲ（図６７、図６８）、又は前方位置ＣＦと後方位置ＣＲとの中間の中間位置ＣＣ（図６９、図７０）において、バネ一体カバー６０をロックできるよう構成されている。【０１０６】
前方係合凹部４６４、中間係合凹部４６５、及び後方係合凹部４６６は、本体ブロック４の裏面における高さ方向Ｚの上端部に、それぞれ長手方向Ｙの３箇所に形成されている。
図７４、図７７に示すごとく、板バネ部６６１は、バネ一体カバー６０におけるカバー本体６５の裏側部分において、前方から後方へ向かって長手方向Ｙに延びるように形成されている。そして、板バネ部６６１の後端部において、ロック爪６６２が表側（本体ブロック４側）に向かって突出している。図７３〜図７５に示すごとく、板バネ部６６１には、バネ一体カバー６０の上端から表側へ立設するとともにカバー本体６５の表面よりも表側へ突出した爪押下部６６３が設けてある。【０１０７】
また、図７４、図７６、図７７に示すごとく、バネ一体カバー６０は、カバー本体６５の裏側部分において、前方から後方へ向って長手方向Ｙに延びるように形成されたストッパー解除片６７を備えている。ストッパー解除片６７は、板バネ部６６１の下側（図７４、図７７においては図面上側）において、板バネ部６６１と略平行に形成されている。ストッパー解除片６７は、その後端部６７１において厚み方向Ｘの表側（本体ブロック４側）に突出している。また、図７３〜図７６に示すごとく、ストッパー解除片６７には、バネ一体カバー６０の下端から表側へ立設するとともにカバー本体６５の表面よりも表側へ突出した解除片押下部６７２が設けてある。【０１０８】
カバー本体６５は、解除片押下部６７２と爪押下部６６３との間において、表側へ部分的に隆起した隆起部６５１を形成してなる。
隆起部６５１は、使用者が解除片押下部６７２又は爪押下部６６３を指で押下しようとしたとき、解除片押下部６７２及び爪押下部６６３を同時に押下してしまう場合において、ストッパー解除片６７とロック爪６６２とが同時に大きく変位することを抑制する機能を有する。
また、カバー本体６５の表側及び裏側には、実施例２と同様に窓部６２が形成されている。
カバー本体６５と、板バネ部６６１とロック爪６６２とストッパー解除片６７とは、一枚の金属板によって一体的に形成してなる。【０１０９】
ストッパー解除片６７は、図６９、図７０に示すごとく、バネ一体カバー６０が本体ブロック４に対して中間位置ＣＣにおいてロックされた状態において、板バネストッパー５９を厚み方向Ｘに弾性変形させることができるよう構成されている。すなわち、バネ一体カバー６０が本体ブロック４に対して中間位置ＣＣにおいてロックされた状態において、図７８に示すごとく、ストッパー解除片６７が板バネストッパー５９の裏面突出部５９７を裏側から押圧する位置に配置される。これにより、板バネストッパー５９における裏側プレート５９４以外の部分が表側へ浮くように弾性変形する。これに伴い、一対のストッパー突出片５９１が表側へ移動し、本体ブロック４の一対のストッパー係合部４５３から外れる。【０１１０】
また、図６１に示すごとく、本体ブロック４の裏面には、バネ一体カバー６０が前方位置ＣＦ（図７１、図７２）にあるときにストッパー解除片６７が係合する解除片係合凹部４６７が形成されている。この解除片係合凹部４６７にロック爪６６２が係合することにより、バネ一体カバー６０の前方への移動が規制されるよう構成されている。【０１１１】
本例において、刃物１を使用する際には、図６５〜図６８に示すごとく、バネ一体カバー６０を後方位置ＣＲにおいてロックする。この状態においては、バネ一体カバー６０のロック爪６６２が本体ブロック４の後方係合凹部４６６（図６１参照）に係合している。【０１１２】
また、替刃３の交換をする際には、図６９、図７０に示すごとく、バネ一体カバー６０を中間位置ＣＣにおいてロックする。この状態においては、ロック爪６６２が本体ブロック４の中間係合凹部４６５（図６１参照）に係合している。そして、図７８に示すごとく、バネ一体カバー６０のストッパー解除片６７が、板バネストッパー５９の裏面突出部５９７を裏側から表側へ向かって押圧し、板バネストッパー５９を弾性変形させる。これにより、ストッパー突出片５９１がストッパー係合部４５３から外れて、板バネストッパー５９のストッパー機能が解除され、スライドブロック５の前進が許容される。そのため、この状態において、操作部５５を前進させて、替刃３を取り外し、他の替刃３を装着することができる。【０１１３】
また、刃物１を使用しない場合においては、図７１、図７２に示すごとく、バネ一体カバー６０を前方位置ＣＦにおいてロックする。この状態においては、バネ一体カバー６０のロック爪６６２が本体ブロック４の前方係合凹部４６４（図６１参照）に係合している。このとき、ストッパー解除片６７は、本体ブロック４の解除片係合凹部４６７（図６１参照）に係合する。これにより、バネ一体カバー６０が本体ブロック４に対してこれ以上前方へ移動することを規制する。【０１１４】
また、前方位置ＣＦ、中間位置ＣＣ、後方位置ＣＲのそれぞれにおけるバネ一体カバー６０のロック状態を解除する際には、爪押下部６６３を厚み方向Ｘの裏側（刀身本体２側）へ押し込む。これにより、ロック爪部６６２を、前方係合凹部４６４、中間係合凹部４６５、又は後方係合凹部４６６から外す。そして、長手方向Ｙにバネ一体カバー６０をスライドさせることによって、前方位置ＣＦ、中間位置ＣＣ、後方位置ＣＲの間で、バネ一体カバー６０を移動させる。【０１１５】
また、前方位置ＣＦからさらにバネ一体カバー６０を本体ブロック４に対して前方へ移動させて刀身本体２からバネ一体カバー６０を外すにあたっては、解除片押下部６７２を厚み方向Ｘの裏側（刀身本体２側）へ押し込む。これにより、本体ブロック４の解除片係合凹部４６７からストッパー解除片６７が外れる。そして、その状態からバネ一体カバー６０を前方へスライドさせることにより、刀身本体２（本体ブロック４）からバネ一体カバー６０を外す。
その他は、実施例６と同様である。【０１１６】
本例の場合には、上記装着状態Ｓにおいて、バネ一体カバー６０を前方位置ＣＦにロックすることによって、使用者の安全を確保すると共に替刃３の破損を防ぐことができる。また、バネ一体カバー６０が板バネ部６６１とロック爪６６２とを備え、本体ブロック４が前方係合凹部４６４、後方係合凹部４６６、及び中間係合凹部４６５を備える。これにより、前方位置ＣＦと中間位置ＣＣと後方位置ＣＲとのいずれかにおいて、容易かつ確実に刀身本体２にバネ一体カバー６０を固定することができる。また、バネ一体カバー６０は、カバー本体６５と板バネ部６６１とロック爪６６２とを、一枚の金属板によって一体的に形成してなる。それゆえ、部品点数を少なくすることができ、刃物１のコスト低減を図ることができる。【０１１７】
また、バネ一体カバー６０は、ストッパー解除片６７を備えている。これにより、バネ一体カバー６０を中間位置ＣＣにロックした際に、板バネストッパー５９のストッパー機能が自動的に解除される。そのため、この状態において、本体ブロック４に対してスライドブロック５を前進させることができ、替刃３を容易に交換することができる。
その他、実施例６と同様の作用効果を有する。
【図１】
2011108337.tif 000003
【図２】
2011108337.tif 000004
【図３】
2011108337.tif 000005
【図４】
2011108337.tif 000006
【図５】
2011108337.tif 000007
【図６】
2011108337.tif 000008
【図７】
2011108337.tif 000009
【図８】
2011108337.tif 000010
【図９】
2011108337.tif 000011
【図１０】
2011108337.tif 000012
【図１１】
2011108337.tif 000013
【図１２】
2011108337.tif 000014
【図１３】
2011108337.tif 000015
【図１４】
2011108337.tif 000016
【図１５】
2011108337.tif 000017
【図１６】
2011108337.tif 000018
【図１７】
2011108337.tif 000019
【図１８】
2011108337.tif 000020
【図１９】
2011108337.tif 000021
【図２０】
2011108337.tif 000022
【図２１】
2011108337.tif 000023
【図２２】
2011108337.tif 000024
【図２３】
2011108337.tif 000025
【図２４】
2011108337.tif 000026
【図２５】
2011108337.tif 000027
【図２６】
2011108337.tif 000028
【図２７】
2011108337.tif 000029
【図２８】
2011108337.tif 000030
【図２９】
2011108337.tif 000031
【図３０】
2011108337.tif 000032
【図３１】
2011108337.tif 000033
【図３２】
2011108337.tif 000034
【図３３】
2011108337.tif 000035
【図３４】
2011108337.tif 000036
【図３５】
2011108337.tif 000037
【図３６】
2011108337.tif 000038
【図３７】
2011108337.tif 000039
【図３８】
2011108337.tif 000040
【図３９】
2011108337.tif 000041
【図４０】
2011108337.tif 000042
【図４１】
2011108337.tif 000043
【図４２】
2011108337.tif 000044
【図４３】
2011108337.tif 000045
【図４４】
2011108337.tif 000046
【図４５】
2011108337.tif 000047
【図４６】
2011108337.tif 000048
【図４７】
2011108337.tif 000049
【図４８】
2011108337.tif 000050
【図４９】
2011108337.tif 000051
【図５０】
2011108337.tif 000052
【図５１】
2011108337.tif 000053
【図５２】
2011108337.tif 000054
【図５３】
2011108337.tif 000055
【図５４】
2011108337.tif 000056
【図５５】
2011108337.tif 000057
【図５６】
2011108337.tif 000058
【図５７】
2011108337.tif 000059
【図５８】
2011108337.tif 000060
【図５９】
2011108337.tif 000061
【図６０】
2011108337.tif 000062
【図６１】
2011108337.tif 000063
【図６２】
2011108337.tif 000064
【図６３】
2011108337.tif 000065
【図６４】
2011108337.tif 000066
【図６５】
2011108337.tif 000067
【図６６】
2011108337.tif 000068
【図６７】
2011108337.tif 000069
【図６８】
2011108337.tif 000070
【図６９】
2011108337.tif 000071
【図７０】
2011108337.tif 000072
【図７１】
2011108337.tif 000073
【図７２】
2011108337.tif 000074
【図７３】
2011108337.tif 000075
【図７４】
2011108337.tif 000076
【図７５】
2011108337.tif 000077
【図７６】
2011108337.tif 000078
【図７７】
2011108337.tif 000079
【図７８】
2011108337.tif 000080
【国際調査報告】
2011108337.tif 000081
2011108337.tif 000082
2011108337.tif 000083
2011108337.tif 000084